(57)【要約】【課題】デジタル放送をトランスコードする際に、大きな処理負荷をかけずに画質を向上できる記録再生装置及び記録再生方法を提供する。【解決手段】この発明の１つの実施形態は、入力デジタル放送のストリーム中の情報テーブルが含む記述子を抽出し、抽出した記述子の分類を参照して、トランスコードする際の変換モードを設定することを特徴とする。【選択図】図３
2011130377.tif 000002
【特許請求の範囲】
【請求項１】
入力デジタル放送のストリーム中の情報テーブルが含む記述子を抽出し、
抽出した記述子の分類を参照して、トランスコードする際の変換モードを設定する
ことを特徴とする記録再生方法。
【請求項２】
前記記述子は、第１の分類と第１の分類を細分化した第２分類を含み、第１の分類と第２の分類の組み合わせに従い、トランスコードする際の変換モードを設定することを特徴とする請求項１記載の記録再生方法。
【請求項３】
前記変換モードは、ブロックノイズが生じやすいストリームと特定したストリームについて、フィルターを使用することを特徴とする請求項２記載の記録再生方法。
【請求項４】
前記変換モードは、ブロックノイズが生じにくいストリームと特定したストリームについて、フィルターを使用しないことを特徴とする請求項２記載の記録再生方法。
【請求項５】
前記記述子が含む第１の分類及び第２分類は、ストリームのジャンルに関する分類を含むことを特徴とする請求項２記載の記録再生方法。
【請求項６】
デジタル放送ストリームから情報テーブルを分離する分離装置と、
前記分離装置が分離した前記情報テーブルが含む記述子内の分類を抽出する抽出装置と、
前記抽出装置が抽出した分類に関連して、トランスコードする際の変換モードを設定する符号化処理装置と、
を有することを特徴とする記録再生装置。
【請求項７】
前記記述子は、第１の分類と第１の分類を細分化した第２分類を含み、第１の分類と第２の分類の組み合わせに従い、トランスコードする際の変換モードを設定することを特徴とする請求項６記載の記録再生装置。
【請求項８】
前記記述子が含む第１の分類及び第２分類は、ストリームのジャンルに関する分類を含むことを特徴とする請求項７記載の記録再生装置。
【発明の詳細な説明】
【技術分野】
【０００１】
この発明は、デジタル放送のコンテンツを記録し、あるいは記録済みコンテンツを再生する記録再生装置及び記録再生方法に関する。
【背景技術】
【０００２】
公衆向けテレビジョン放送においては、電波を有効利用するために、アナログ放送からデジタル放送への切り替えが発表され、今日では、デジタル放送専用の受信装置あるいは記録再生装置も販売されている。
【０００３】
地上デジタル放送、あるいは放送衛星を用いるＢＳデジタル放送および通信衛星を用いるＣＳデジタル放送は、ＭＥＰＧ（Moving Picture Experts Group）−２  ＴＳ（Transport Stream，トランスポートストリーム）形式であり、圧縮され、多重化された映像（Ｖｉｄｅｏ）信号及び音声（Ａｕｄｉｏ）信号が、受信装置すなわち記録再生装置に供給される。
【０００４】
今日、より多くのコンテンツ（番組）を記録するために、受信したＭＥＰＧ−２  ＴＳ信号を、トランスコーダーを用いてＭＥＰＧ−４−ＡＶＣ（Ｈ．２６４）信号に変換し、より圧縮率を高めること方法が、既に実用化されている。
【０００５】
半面、ＭＥＰＧ−４−ＡＶＣ（Ｈ．２６４）においては、単位ブロックのサイズが可変であるため、記録しようとしているコンテンツをＡＶＣに変換する際に、レートを低く設定することにより、ブロックノイズが顕著となる場合がある。
【０００６】
特許文献１（先行技術文献）は、実際の映像から特徴を抽出し、これに基づいてビットストリームのコンテンツの品質を維持しながら、目標レートを実現するよう制御するトランスコーディング技術を開示する。同文献は、圧縮ビデオをトランスコードする際、圧縮ビデオを階層レベルに分割し、階層レベルの各々から抽出した特徴から、トランスコードする際の変換モードを設定することを開示する。
【先行技術文献】
【特許文献】
【０００７】
【特許文献１】国際公開ＷＯ０１／０７８３９８号公報
【発明の概要】
【発明が解決しようとする課題】
【０００８】
特許文献１は、トランスコードする際、圧縮ビデオを階層レベルに分割し、階層レベルの各々から抽出した特徴を用いることを明示する。しかしながら、この方法は、ビデオの全ての情報（階層レベルまで）を参照するため、トランスコードする際の信号処理に要求される負荷が大きくなることは、容易に理解できる。従って、特徴を抽出するための専用の信号処理部が必要となる。このことは、当然、装置のコストを増大することになる。
【０００９】
この発明の目的は、デジタル放送をトランスコードする際に、大きな処理負荷をかけずに画質を向上できる記録再生装置及び記録再生方法を提供することである。
【課題を解決するための手段】
【００１０】
この発明は、上記問題点に基づきなされたもので、入力デジタル放送のストリーム中の情報テーブルが含む記述子を抽出し、抽出した記述子の分類を参照して、トランスコードする際の変換モードを設定することを特徴とする記録再生方法を提供するものである。
【発明の効果】
【００１１】
この発明の一つの実施の形態によれば、デジタル放送の番組毎に付与されているジャンル情報を使用することで、より簡単に、画質を向上できる。
【００１２】
またこの発明の一つの実施の形態は、コンテンツのジャンルに従って、トランスコードアルゴリズムを選択するので、入力された映像（Ｖｉｄｅｏ）ストリームを逐次解析する必要が無く、大きな処理負荷をかけずに画質を高めることが可能である。
【図面の簡単な説明】
【００１３】
【図１】この発明の実施の形態が適用可能な記録再生装置（受信装置）の構成の一例を示す概略図。
【図２】図１に示した記録再生装置に組み込まれるトランスコーダーの構成の一例を示す概略図。
【図３】図１および図２に示した記録再生装置において、ＥＩＴから「番組ジャンル」を抽出し、抽出した「番組ジャンル」を参照して、『ＭＥＰＧ−２  ＴＳ  →  ＭＥＰＧ−４−ＡＶＣ（Ｈ．２６４）』トランスコード時に適用すべき最適なアルゴリズム（変換モード）を設定する方法をソフトウエア的に説明する概略図。
【図４】抽出した「番組ジャンル」を参照してトランスコードする際の変換モードを設定するアルゴリズムを設定する方法の一例を示す概略図。
【図５】図３および図４により説明した「番組ジャンル」が含まれるコンテンツ中のデータ構造の一例を示す概略図。
【発明を実施するための最良の形態】
【００１４】
以下、図面を参照して、本発明の実施の一形態について説明する。
【００１５】
図１は、この発明を適用した記録再生装置（受信装置）の構成を概略的に示す。なお、図１に示す記録再生装置は、レコーダー装置であり、例えば地上デジタル放送、あるいは有線方式で番組を配信する配信事業者（ケーブルテレビジョン事業体）等の供給元が提供するコンテンツ（ストリーム）を受信して再生信号を出力するとともに、ユーザーが希望するコンテンツについては、ユーザーの希望する画質及び音質により記録できる。なお、コンテンツは、映像及び音声もしくは音楽等を含み、広く「番組」とも称される。また、映像は、動画と静止画、あるいはテキストを主体とした文字放送やデータ放送の表示等を含む。また、記録再生装置は、主としてケーブルテレビジョン事業体の放送基地（配信）局から配信される番組を受信するセットトップボックス（ＳＴＢ）等であってもよい。また、記録再生装置は、表示装置を一体に有するテレビ受信装置であってもよい。
【００１６】
記録再生装置１は、デジタル放送（ＭＥＰＧ−２  ＴＳ）の番組を受信するチューナー２、外部入力信号すなわち映像（Ｖｉｄｅｏ）及び音声（Ａｕｄｉｏ）を受け付ける入力部３、チューナー２または入力部３を経由して入力される番組または映像及び音声を、後段の映像出力部及び音声出力部が出力可能に処理する信号処理部４、ＭＥＰＧ−２  ＴＳの番組あるいは入力部３が受け付けた映像及び音声を記録する記録部５、信号処理部４により処理された映像信号及び音声信号を後段の映像出力部及び音声出力部が出力可能に処理（Ｄ−Ａ変換）する出力部６、ユーザー操作入力を受け付けるユーザー操作入力部（リモコン信号受信回路）７、及び各部の動作を制御するとともに映像信号及び音声信号の同期（タイミング）を管理する主制御ブロック（主制御部）８、を少なくとも含む。
【００１７】
チューナー２は、記録しようとする番組を供給する任意のチャンネルを選局する。受信（選局）した番組（ストリーム）がＭＥＰＧ−２  ＴＳである場合、その番組は、記録部５のＨＤＤ（ハードディスク装置）５１に記録される。なお、アナログ放送については、詳細な説明を省略する。
【００１８】
入力部３は、ビデオ（ｖｉｅｄｏ）入力およびオーディオ（ａｕｄｉｏ）入力を含み、外部から入力される映像信号及び音声信号を受けつける。なお、入力部３は、例えばＤＶＩ（Digital Visual Interface）、ＨＤＭＩ（High-Definition Multimedia Interface）、ＬＡＮ（Local Area Network）端子、ＵＳＢ（Universal Serial Bus）等であってもよく、必要に応じて、信号処理部４の前段に、Ａ−Ｄ（アナログ−デジタル）変換するＡ−Ｄコンバーターを含んでもよい。
【００１９】
信号処理部４は、多重化されているＭＥＰＧ−２  ＴＳをＭＥＰＧ−４−ＡＶＣ（Ｈ．２６４）に変換するトランスコーダー４０を含む。
【００２０】
トランスコーダー４０は、図２に一例を示すが、受信したＭＥＰＧ−２  ＴＳから音声信号（Ａｕｄｉｏ）と映像信号（Ｖｉｄｅｏ）を分離するＤｅｍｕｘ部４１、Ｄｅｍｕｘ部４１により分離された映像信号をデコード（復号化）するデコーダー４２、及びデコーダー４２がデコードした映像信号をエンコード（符号化）するエンコーダー４３を少なくとも含む。なお、エンコーダー４３により再エンコードされたＶｉｄｅｏは、Ｍｕｘ部４４により，Ａｕｄｉｏと再結合され、出力部６へ出力される。
【００２１】
トランスコーダー４０はまた、図２に一例を示すように、Ｄｅｍｕｘ部４１が分離したＴＳが含むＥＩＴ（Event Information Table，イベント情報テーブル）が含むコンテント記述子（Contents Descriptor）内に記述されている「番組ジャンル」を抽出するＥＩＴ抽出部４５、上述した『ＭＥＰＧ−２  ＴＳ  →  ＭＥＰＧ−４−ＡＶＣ（Ｈ．２６４）』トランスコード時に、ＥＩＴ抽出部４５が抽出した「番組ジャンル」を参照してコンテンツの画質を考慮した最適なアルゴリズム（変換モード）を設定する符号化制御処理部４６を含む。なお、ＥＩＴ抽出部４５と符号化制御処理部４６とは一体であってもよい。
【００２２】
ＥＩＴ抽出部４５が抽出した「番組ジャンル」情報は、主制御ブロック（主制御部）８内のＲＡＭ（Random Access memory）８２に一次的に保持される。また、ＥＩＴ抽出部４５及び符号化制御処理部４６を、主制御ブロック８の主制御部（ＭＰＵ）８０のファームウエアとして用意することにより、トランスコーダ４０の汎用性を高めることができる。
【００２３】
信号処理部４はまた、例えば入力ＭＰＥＧ−２  ＴＳをそのまま記録部５のＨＤＤ（ハードディスクドライブ）５１に記録するようなトランスコードを必要としないコンテンツの記録及び再生のためのＤｅｍｕｘ部１４１、デコーダー１４２、エンコーダー１４３及びＭｕｘ部１４４を、少なくとも含む。すなわち、記録時においては、Ｄｅｍｕｘ部１４１、デコーダー１４２、エンコーダー１４３及びＭｕｘ部１４４の順に、ＭＰＥＧ−２  ＴＳが処理される。また、再生／表示に際しては、Ｄｅｍｕｘ部１４１、デコーダー１４２、映像出力部６（後述）の順に、処理される。
【００２４】
記録部５は、ＨＤＤ５１及び、例えばＤＶＤ（Digital Versatile Disk）規格の光ディスクＤにコンテンツを記録可能なディスクドライブユニット５２を含む。
【００２５】
出力部６は、映像（Ｖｉｄｅｏ）出力部６１及び音声（Ａｕｄｉｏ）出力部６２を含み、外部（映像出力及び音声出力）に接続される機器が再生可能に、映像（Ｖｉｄｅｏ）／音声（Ａｕｄｉｏ）再生信号を出力する。なお、出力部６は、例えばＤＶＩ（Digital Visual Interface）、ＨＤＭＩ（High-Definition Multimedia Interface）、ＬＡＮ（Local Area Network）端子、ＵＳＢ（Universal Serial Bus）等であってもよく、必要に応じて、信号処理部４の後段に、Ｄ−Ａ（デジタル−アナログ）変換するＤ−Ａコンバーターを含んでもよい。
【００２６】
ユーザー操作部（リモコン信号受光部）７は、リモートコントローラ（リモコン）によるユーザー操作入力を、図示しないインタフェースを経由して、主制御ブロック８０に入力する。なお、今日、多くのユーザー操作は、モニター装置等が表示した再生画面に表示されるＧＵＩ（Graphical User Interface）映像のボタン表示あるいはカーソル表示に対して選択信号等を入力する方法が一般的であるが、［再生］／［停止］等のユーザー入力が可能に、いくつかの入力ボタンが設けられることもある。
【００２７】
主制御ブロック８は、ＭＰＵ（Micro processing Unit，マイクロコンピューター）８０、ＭＰＵ８０の動作プログラムを保持したＲＯＭ８１、ワークメモリとして機能するＲＡＭ８２、及び不揮発性メモリ８３等を含む。なお、不揮発性メモリ８３は、例えばアップデートプログラム等が提供された場合の一時記録等にも利用される。
【００２８】
図３は、図１および図２に示した記録再生装置において、抽出した「番組ジャンル」を参照して、『ＭＥＰＧ−２  ＴＳ  →  ＭＥＰＧ−４−ＡＶＣ（Ｈ．２６４）』トランスコード時に適用すべき最適なアルゴリズム（変換モード）を設定する方法をソフトウエア的に示す。
【００２９】
図２を用いて概略を説明したが、受信したＭＥＰＧ−２  ＴＳから、音声信号および映像信号を、Ｄｅｍｕｘ部４１により分離する（［０１］）。
【００３０】
Ｄｅｍｕｘ部４１により分離した音声信号及び映像信号とは別に、「ＥＩＴ（イベント情報テーブル）」が付属していることを検出し（［０２−ＹＥＳ］）、ＥＩＴが含む「番組ジャンル」を、抽出する（［０３］）。
【００３１】
次に、抽出した「番組ジャンル」を参照して、例えば図４に一例を示す「大分類」及び「中分類」に従い「アルゴリズム」を選択し（［０４］）、コンテンツの画質を考慮した最適な「アルゴリズム（変換モード）」を設定する（［０５］）。
【００３２】
図４は、図１および図２に示した記録再生装置において、抽出した「番組ジャンル」を参照して、トランスコードする際に適用する変換モード（「アルゴリズム」）を設定する方法の一例を示す。
【００３３】
図４に示すように、「大分類」としては、例えば『ニュース／報道』、『スポーツ』、『音楽』、『映画』等が用意される。また、「アルゴリズム」としては、例えば    
［Ａ］ニュースやドキュメンタリー等、動きの少ない番組向け    
→  解像度感を優先するために、Ｄｅｂｌｏｃｋｉｎｇ  ｆｉｌｔｅｒ    
（デブロッキングフィルター）の影響を抑える    
（フィルターを用いない）    
番組を通して全体的に動きが少ないと考え、平均レートより    
余裕を持って、ｑＰ値（量子化パラメータ）を設定する    
レートに余裕を持たせることで、一部動きの大きい箇所にレートを    
割り当て、番組全体の品質が均一になるようにする    
［Ｂ］スポーツや音楽等、動きの大きい番組向け    
→  レート不足によるブロックノイズの低減を優先するために、    
Ｄｅｂｌｏｃｋｉｎｇ  ｆｉｌｔｅｒを使用する    
番組を通して全体的に動きが大きいと考え、レートの変動が大きくなる    
ようにｑＰ値を設定する    
動きの少ない箇所は、より少ないレートでトランスコードし、    
動きの大きい箇所はより大きいレートでトランスコードを    
行うことで、番組全体の品質が均一になるようにする    
［Ｃ］アニメ等、情報量の少ない番組向け    
→  マクロブロック間のブロックノイズの低減を優先するために、    
Ｄｅｂｌｏｃｋｉｎｇ  ｆｉｌｔｅｒを使用する    
番組を通して全体的に動きが少ないと考え、平均レートより    
余裕を持ってｑＰ値を設定する    
レートに余裕を持たせることで、動きの大きい箇所にレートを割り当てる    
シーンチェンジの箇所は、ＧＯＰ（Group Of Pictures）途中    
であってもレートを割り当てるようにする    
を設定する。
【００３４】
ここで、図４に示すように、例えば    
「大分類」が『音楽』で「中分類」が『クラシック・オペラ』である場合は、「中分類」が『国内ロック・ポップス』である場合に「アルゴリズム」として［Ｂ］を適用するに対して、「アルゴリズム」として［Ａ］を適用することができる。
【００３５】
また、図４に示すように、例えば    
大分類」が『映画』で「中分類」が『邦画』である場合は、「中分類」が『アニメ』である場合に「アルゴリズム」として［Ｃ］を適用するに対して、「アルゴリズム」として［Ｂ］を適用することができる。
【００３６】
なお、図４に一例を示した「番組ジャンル」は、ＡＲＩＢ（Association of Radio Industries and Businesses）  ＳＴＤ−Ｂ１０  第２部  第６章  “記述子”  の表６−１に明示されている。
【００３７】
また、「番組ジャンル」が含む「大分類」及び「中分類」は、同じく、ＡＲＩＢ  ＳＴＤ−Ｂ１０  第２部  付録（Ｈ）に、「Content_nibble_level_1（大分類）」及び「Content_nibble_level_2（中分類）」として、明示されている。
【００３８】
一方、ＥＩＴ（イベント情報テーブル）は、同じく、ＡＲＩＢ  ＳＴＤ−Ｂ１０  第２部  表５−７（イベント情報セクション）に、図５に抜き出してそのデータ構造を示す、データ構造が規定されている。なお、ＥＩＴは、    
１）自トランスポートストリーム、現在／次のイベント情報    
２）他トランスポートストリーム、現在／次のイベント情報    
３）自トランスポートストリーム、イベントのスケジュール情報    
４）他トランスポートストリーム、イベントのスケジュール情報    
の４クラスを含む。
【００３９】
従って、Ｄｅｍｕｘしたデジタル信号から「ＥＩＴ（イベント情報テーブル）」を検出し、ＥＩＴが含む「番組ジャンル（ジャンル情報）」を抽出してトランスコードする際のアルゴリズム（変換モード）を設定することで、例えばニュースやドキュメンタリー等、動きの少ない（ブロックノイズが生じにくい）番組においては、Ｄｅｂｌｏｃｋｉｎｇ  ｆｉｌｔｅｒの影響を抑え、番組全体の品質を均一にできる。
【００４０】
また、スポーツや音楽等、動きの大きい（ブロックノイズが生じることが比較的多い）番組については、Ｄｅｂｌｏｃｋｉｎｇ  ｆｉｌｔｅｒを使用してレート不足によりブロックノイズが生じることを低減するとともに、動きの大きい箇所はより大きいレートでトランスコードを行うことで、番組全体の品質が均一にできる。
【００４１】
以上説明したように、この発明の一つの実施の形態によれば、デジタル放送の番組毎に付与されているジャンル情報を使用することで、より簡単に、画質を向上できる。
【００４２】
また、ジャンルによりトランスコードアルゴリズムを選択することは、入力された映像（Ｖｉｄｅｏ）ストリームを、逐次解析する必要が無いため、大きな処理負荷をかけずに画質を高めることが可能である。
【００４３】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【符号の説明】
【００４４】
１…記録再生装置、２…チューナー、３…入力部、４…信号処理部、５…記録部、６…出力部、７…ユーザー操作入力部、８…主制御ブロック、４０…トランスコーダー、４１…Ｄｅｍｕｘ（分離）部、４２…Ｄｅｃｏｄｅｒ（復号）部、４３…Ｅｎｃｏｄｅｒ（符号化）部、４４…Ｍｕｘ（多重化）部、４５…ＥＩＴ（イベント情報テーブル）抽出部、４７…符号化制御処理部。
【図１】
2011130377.tif 000003
【図２】
2011130377.tif 000004
【図３】
2011130377.tif 000005
【図４】
2011130377.tif 000006
【図５】
2011130377.tif 000007